(57)【要約】【課題】生体認証装置等の入室規制装置が本来有するセキュリティを損ねることなく、意匠性、作業性を向上させる。【解決手段】戸先側縦枠２の室外側見付面２０には、ストライク２４に対応して凹部６が形成されており、凹部６の後壁６２には開口６５が形成されている。取付部材は、見込方向に延出する左右の支持アーム７０、７１を備え、前側に入室規制装置８が固定されており、後側部位は開口６５から戸先側縦枠２の内部に挿入可能であり、支持アーム７０、７１の下縁には、開口６５の下縁のスリット６５４、６５５にスライド係合するスリット７５、７６が形成されている。支持アーム７０、７１を開口６５から戸先側縦枠内部に挿入し、スリット７５、７６をスリット６５４、６５５に係合させ、係合状態にある支持アーム７０、７１のうち見込面２２に近い側の支持アーム７０を、ストライク２４の収容空間S１側から内部壁２７０に螺子９で固定する。【選択図】図７
2010255217.tif 000002
【特許請求の範囲】
【請求項１】
戸枠の戸先側縦枠の見込面の所定の高さ位置には、見込面の部分を形成する塞ぎ部材が取り外し可能に装着されており、戸先側縦枠内の前記塞ぎ部材の背面空間には見込方向に延出する内部壁が形成されており、
前記戸先側縦枠の室外側見付面には、前記塞ぎ部材に対応する高さ位置に凹部が形成されており、前記凹部の後壁には開口が形成されており、
取付部材は、前側に入室規制装置が固定されており、後側部位は前記開口から戸先側縦枠の内部に挿入可能であり、
前記取付部材は、前記後側部位を前記開口から挿入した時に前記開口の周縁にスライド係合可能な係合溝を備えることで、前記開口に室外側から係合可能に構成されており、
前記開口に対して係合状態にある前記取付部材において、前記開口から戸先側縦枠内部に挿入されている前記後側部位を、前記塞ぎ部材の背面空間から前記内部壁に止着部材で固定してなる、
戸枠に対する入室規制装置の取付構造。
【請求項２】
前記塞ぎ部材はストライクであり、前記内部壁は戸先側縦枠内の前記ストライクの収容空間の背面で見込方向に延出する、請求項１に記載の取付構造。
【請求項３】
前記取付部材は、見込方向に延出する左右の支持アームを備え、左右の支持アームの前端には入室規制装置が固定されており、左右の支持アームの後側は連結部によって連結されており、
前記左右の支持アームの下縁には、前記左右の支持アームを前記開口から前記戸先側縦枠の内部に挿入した時に前記開口の下縁にスライド係合する係合溝が形成されており、
前記左右の支持アームの係合溝を前記開口の下縁に係合させた状態において、前記左右の支持アーム及び前記連結部が前記開口から前記戸先側縦枠内部に挿入されており、
係合状態にある前記左右の支持アームのうち前記見込面に近い側の支持アームを、前記塞ぎ部材の背面空間から前記内部壁に止着部材で固定してなる、
請求項１、２いずれかに記載の取付構造。
【請求項４】
前記内部壁は、ストライクカバーの部分である、請求項２に記載の取付構造。
【発明の詳細な説明】
【技術分野】
【０００１】
本発明は、生体認証装置等の入室規制装置の取付構造に関するものである。本発明に係る入室規制装置には、生体認証装置の他に、暗証番号入力装置、カードリーダー等の施錠解除装置が含まれる。また、入室規制装置は、扉体によって閉鎖された開口部を挟んだ一側から他側への進入を規制するものであり、典型的には、外部から室内への進入を規制するものであるが、通路のある区画から他の区画への進入を規制するものでもよい。
【背景技術】
【０００２】
従来の入室規制装置としては、扉体に施錠装置（錠前）を設けることがよく知られている。また、昨今のセキュリティへの関心の高まりから、より高度な入室規制装置も実現されており、生体認証装置による施錠解除、暗証番号入力による施錠解除、カードリーダーを用いた施錠解除等が知られている。そして、これらの多くは配線を用いて電気的に施錠解除するものであることから、可動部材である扉体以外の部位、例えば、戸枠に生体認証装置等の入室規制装置を設ける必要がある。特許文献１には、間仕切り装置における入室管理用のカードリーダー取付け構造が開示されている。
【０００３】
生体認証装置（以下の説明は、生体認証装置に基づいて行なう）は、外部からの入室を規制することを目的とするところ、戸枠の室外側の面部に取り付ける必要があるが、室外側に螺子等が露出してしまうと、室外側から見た時の意匠性を損なうのみならず、螺子等を取り外すことで生体認証装置の取り外しが可能となって生体認証装置を設けることの利点が減殺されてしまう。したがって、従来は、戸枠の枠内、すなわち、室外側面部の裏面側に平板ライナーを設け、室内側から生体認証装置を螺子で固定する方法が採用されている。
【０００４】
しかしながら、室内側から螺子固定を行なうためには、戸枠の室内側の面部に開口を形成し、また、当該開口を閉塞する塞板を設ける必要があり、室内側からの意匠性を損ねることになる。また、塞板を螺子等で固定する場合には、室内側からいたずらされるおそれもある。
【０００５】
また、室内側から螺子で固定を行なうものでは、生体認証装置の取付時に、生体認証装置を戸枠の室外側から保持する一方、戸枠の室内側からこれを螺子で固定する必要があり、作業効率が悪いものとなっており、生体認証装置が配線を伴うものであることを考えると、特に、作業を一人で行う場合には、尚更である。
【先行技術文献】
【特許文献】
【０００６】
【特許文献１】特開２００８−２４０４９１号公報
【発明の開示】
【発明が解決しようとする課題】
【０００７】
本発明は、生体認証装置等の入室規制装置が本来有するセキュリティを損ねることなく、意匠性、作業性を向上させることができる入室規制装置の取付構造を提供することを目的とする。
【課題を解決するための手段】
【０００８】
本発明が採用した技術手段は、
戸枠の戸先側縦枠の見込面の所定の高さ位置には、見込面の部分を形成する塞ぎ部材が取り外し可能に装着されており、戸先側縦枠内の前記塞ぎ部材の背面空間には見込方向に延出する内部壁が形成されており、
前記戸先側縦枠の室外側見付面には、前記塞ぎ部材に対応する高さ位置に凹部が形成されており、前記凹部の後壁には開口が形成されており、
取付部材は、前側に入室規制装置が固定されており、後側部位は前記開口から戸先側縦枠の内部に挿入可能であり、
前記取付部材は、前記後側部位を前記開口から挿入した時に前記開口の周縁にスライド係合可能な係合溝を備えることで、前記開口に室外側から係合可能に構成されており、
前記開口に対して係合状態にある前記取付部材において、前記開口から戸先側縦枠内部に挿入されている前記後側部位を、前記塞ぎ部材の背面空間から前記内部壁に止着部材（典型的には、螺子である）で固定してなる、
戸枠に対する入室規制装置の取付構造、である。
１つの典型的な態様では、前記塞ぎ部材はストライクであり、前記内部壁は戸先側縦枠内の前記ストライクの収容空間の背面で見込方向に延出する。
【０００９】
１つの態様では、
前記取付部材は、見込方向に延出する左右の支持アームを備え、左右の支持アームの前端には入室規制装置が固定されており、左右の支持アームの後側は連結部によって連結されており、
前記左右の支持アームの下縁には、前記左右の支持アームを前記開口から前記戸先側縦枠の内部に挿入した時に前記開口の下縁にスライド係合する係合溝が形成されており、
前記左右の支持アームの係合溝を前記開口の下縁に係合させた状態において、前記左右の支持アーム及び前記連結部が前記開口から前記戸先側縦枠内部に挿入されており、
係合状態にある前記左右の支持アームのうち前記見込面に近い側の支持アームを、前記塞ぎ部材の背面空間から前記内部壁に止着部材で固定してなる。
【００１０】
取付部材の係合溝が開口の周縁に係合する態様については、幾つかの態様が考えられる。後述の実施形態では、取付部材の下縁に形成された係合溝を、開口の周縁、具体的には、下縁の両端部に下方に向かって形成したスリット、にスライド係合させているが、取付部材の係合溝を水平状の下縁自体（スリットを設けないで）に係合させてもよい。取付部材が係合する周縁は下縁に限定されるものではなく、開口部の形状及び取付部材の形状に特徴を持たせることで、開口の側縁の部分に取付部材を係合させてもよい。
また、後述の実施形態では、開口に挿入した取付部材を落とし込むことで、すなわち、下方にスライドさせることで係合溝を開口の下縁にスライド係合させているが、開口部の形状及び取付部材の形状に特徴を持たせることで、開口に挿入した取付部材を例えば水平方向（横方向）に移動させることで係合溝を開口の周縁にスライド係合させてもよい。
【００１１】
１つの態様では、内部壁は、ストライクカバーの部分である。ストライクカバーは、戸先側縦枠内におけるストライクの収容空間を囲む部材であり、典型的には、見込方向に延出する壁と見付方向に延出する壁を備えている。
【発明の効果】
【００１２】
本発明に係る入室規制装置の取付構造は、戸先側縦枠の室外側見付面からの係合と、見込面からの螺子等の止着部材による固定を用いるものであり、螺子等による固定は、生体認証装置が固定された取付部材を凹部の後壁の開口に係合させた状態（仮固定）で行なうことができ、作業性が良い。
室外側から係合手段を用いて取付部材を取り付けるため、室外側に螺子等が露出することはなく、意匠性に優れると共に、螺子等を取り外す等のいたずらも防止できる。
見込面から設ける螺子等は、通常時には、戸先側縦枠の見込面に固定されているストライク等の塞ぎ部材によって隠蔽されているため、外部に露出することはなく、安全性・意匠性に優れる。
戸先側縦枠の室内側見付面には取り付けに関連するいかなる部材も露出せず、意匠性に優れると共に、螺子等を取り外す等のいたずらも防止できる。
ストライクカバーの部分を内部壁として用いる場合には、取付構造の一部に既存の部品を用いることができ、部品点数・コストを削減できると共に、既設の戸枠に生体認証装置等の入室規制装置を後付けすることができる。
【図面の簡単な説明】
【００１３】
【図１】建物開口部を扉体が閉鎖した状態を示しており、左図は室外側から見た姿図、右図は室内側から見た姿図である。
【図２】戸先側縦枠の室外側見付面に取り付けられた生体認証装置を示す斜視図である。
【図３】戸先側縦枠の室外側見付面に取り付けられた生体認証装置を示す側面図である。
【図４】戸先側縦枠の室外側見付面に形成された凹部を示し、左図は正面図、右図は側面図である。
【図５】取付部材の斜視図である。
【図６】取付部材の平面図、後面図、一方の側面図である。他方の側面図は対称に表れる。
【図７】戸先側縦枠の室外側見付面に取り付けられた生体認証装置を示す平面図である。
【図８】戸先側縦枠の部分断面図である。
【図９】左図は図８をA方向から見た図であり、右図は図８をB方向から見た図である。
【発明を実施するための形態】
【００１４】
本発明の実施形態を図面に基づいて詳細に説明する。図１は、四周状の戸枠で囲まれた建物開口部を扉体１が閉鎖した状態を示す姿図であり、左図は室外側から見た図、右図は室内側から見た図である。戸枠は、戸先側縦枠２、戸尻側縦枠３、上枠４、下枠５から構成されている。
【００１５】
扉体１は、室外側面部１Ａ、室内側面部１Ｂ、戸先側端面１Ｃ（図７参照）を備えており、扉体１の戸尻側部位は丁番１Ｄによって戸尻側縦枠３に対して回動可能に連結されている。扉体１の室外側面部１Ａ及び室内側面部１Ｂの戸先側には、人が掴んで操作しやすい所定の高さに位置して取手１Ｅが設けてある。扉体１の上方部位の戸尻寄りの部位と上枠４の戸尻寄りの部位との間にはドアクローザ１Ｆが設けてある。
【００１６】
戸先側縦枠２は、室外側に面する面部である室外側見付面２０と、室内側に面する面部である室内側見付面２１と、室外側見付面２０と室内側見付面２１を連結すると共に建物開口部に面する見込面２２（図７、図８参照）と、を備えている。
【００１７】
図２に示すように、室外側見付面２０には、所定の高さに位置して凹部６が形成されており、凹部６に装着される取付部材７を用いて生体認証装置８が戸先側縦枠２の室外側見付面２０に取り付けられる。生体認証装置８は、本体８０と、本体８０の上面に設けられた生体情報取得部８１とを備えており、図示の実施形態では、生体情報は静脈であるが、本発明の生体認証装置８に採用され得る生体情報は、指紋・その他の生体情報でもよい。また、実施形態では入室規制装置として生体認証装置８を例示するが、生体認証装置に代えて暗証番号入力装置やカードリーダ等を用いてもよい。凹部６、取付部材７の詳細については、図３乃至図７に基づいて後述する。
【００１８】
図７、図８に示すように、戸先側縦枠２の見込面２２は、室外側に位置する第１部分２２Ａと、第１部分２２Ａに対して室内側に位置する第２部分２２Ｂとからなり、第１部分２２Ａと第２部分２２Ｂは段部状に接続されていると共に、段部に位置して形成された溝部２２Ｃには気密部材２３が設けてある。開口部全閉時には、扉体１の戸先側端面１Ｃが第２部分２２Ｂに近接対向し、扉体１の室外側面部１Ａの戸先側部位が気密部材２３に圧接するようになっている。
【００１９】
扉体１の戸先側部位の所定の高さ位置には、図示しないラッチ、デッドボルトが、戸先側端面１Ｃ内に待避した姿勢と、戸先側端面１Ｃから突出した姿勢との間で出没可能に設けてあり、扉体１の戸先側端面１Ｃに近接対向する戸先側縦枠２の第２部分２２Ｂの所定の高さ位置には、開口部閉鎖時に扉体１の戸先側端面１Ｃから突出するラッチ、デッドボルトを受け入れるようにストライク２４が設けてある。ラッチは取手１Ｅの回動操作に連動して出没し、デッドボルトは操作手段１Ｇによる回動操作（典型的には、室外側ではキーによる回動操作、室内側ではつまみによる回動操作）に連動して出没する。開口部閉鎖時には、戸先側端面１Ｃから突出したラッチが戸先側縦枠２の第２部分２２Ｂに形成されたストライク２４に突出して係止することで、扉体１の閉鎖状態が維持される。デッドボルトをストライク２４に突出させて係止することで施錠状態となって、扉体１の開放が規制される。
【００２０】
ストライク２４の取付構造について説明する。ストライク２４は全体として箱型の形状を有し、前面はラッチ、デッドボルトが進入するための受孔（図示せず）を備えたプレート２４０となっており、プレート２４０の後側には、前記受孔に対応して箱部２４１が形成されている。戸先側縦枠２の見込面２２の第２部分２２Ｂには、ストライク２４が取り付けられる位置に対応して方形状の切り欠き部２５が形成されている（図８、図９参照）。図９において、切り欠き部２５の上縁２５０、下縁２５１、側縁２５２、２５３が示してある。
【００２１】
図８に示すように、戸先側縦枠２において、切り欠き部２５の奥側は、ストライク２４の収容空間Ｓ１となっている。図９に示すように、切り欠き部２５の上下に位置して第２部分２２Ｂの裏面には裏板２６が取り付けられており、ストライク２４の箱部２４１を収容空間Ｓ１に収容した状態で、ストライク２４のプレート２４０を裏板２６に対して螺子（図示せず）で固定することで、ストライク２４が戸先側縦枠２の見込面２２の第２部分２２Ｂに取り外し可能に装着される。戸先側縦枠２にストライク２４をどのように取り付けるかは設計事項であり、裏板２６を用いた取り付けに限定されるものではないことが当業者に理解される。
【００２２】
図８に示すように、ストライク２４の収容空間Ｓ１は、室内側見付面２１を形成する板材と、見込方向に延出する壁２７０と見付方向に延出する壁２７１とから断面視（平面視）Ｌ形状を有するストライクカバー２７と、で囲まれた空間である。見込方向に延出する壁２７０には、長孔２７０Ａが形成されている。図９に示すように、長孔２７０Ａは、切り欠き部２５に対応する位置に形成されており、ストライク２４を取り外した状態で、切り欠き部２５を通して露出しており、外部から切り欠き部２５を通して長孔２７０Ａにアクセス可能である。１つの態様では、ストライクカバー２７は、室内側見付面２１を形成する板材の裏面、戸先側縦枠２の第２部分２２Ｂの裏面に溶接されている。収容空間Ｓ１にストライク２４が収容された状態では、ストライク２４の箱部２４１の底面の奥側に見込方向に延出する壁２７０が位置することになる（図７参照）。
【００２３】
図３、図４に示すように、室外側見付面２０に形成された凹部６は、傾斜状の上壁６０と、水平状の下壁６１と、垂直状の後壁６２と、垂直状の側壁６３、６４と、を備えている。図示の態様では、各壁６０、６１、６２、６３、６４は、室外側見付面２０を構成する板材とは別の板材から形成されている。上壁６０を形成する板部の上側の垂直片６００、下壁６１を形成する板部の下側の垂直片６１０をそれぞれ、室外側見付面２０を形成する板材の裏面に溶接、接着等することで、凹部６が形成されている。凹部６を、室外側見付面２０を形成する板材を機械的に成型加工することで、室外側見付面２０を形成する板材から一体的に形成してもよい。
【００２４】
凹部６の後壁６２には正面視略方形状の開口６５が形成されており、開口６５は、上縁６５０、下縁６５１、左右の側縁６５２、６５３から囲まれている。開口６５の下縁６５１の左右端部には下方に垂直状に延びるスリット６５４、６５５が形成されている。
【００２５】
図５、図６に示すように、取付部材７は、扉体１、戸先側縦枠２の見込方向に水平状に延出する左右の支持アーム７０、７１と、見付方向に水平状に延出し、支持アーム７０、７１の後側端部同士を連結する連結部７２と、支持アーム７０、７１の前側にそれぞれ形成された左右の装着部７３、７４と、を備え、左右の支持アーム７０、７１の下縁には、装着部７３、７４側に位置して、上方に垂直状に延びるスリット７５、７６が形成されており、取付部材７を開口６５に係合させる時にスリット７５、７６が係合溝として機能する。
【００２６】
装着部７３、７４は、支持アーム７０、７１に比べて上下方向に延出すると共に、左右方向に互いに離隔するように延出しており、上下に間隔を存して図示しない螺子を受け入れる孔７３Ａ、７４Ａが形成されており、螺子を用いて生体認証装置８の本体８０の垂直状の後面８００が装着部７３、７４に固定される。生体認証装置８の本体８０の後面８００の幅寸法・高さ寸法は取付部材７の前側部位の幅寸法・高さ寸法よりも大きく、生体認証装置８が戸先側縦枠２の室外側見付面２０に形成した凹部６に取り付けられた状態で、室外側から取付部材７（装着部７３、７４）が見えることがない。図示の態様では、左右の２つの装着部７３、７４を示したが、１つの装着部に生体認証装置８を固定してもよい。また、装着部７３、７４の形状や寸法は、生体認証装置８の形状や寸法に応じて変わり得ることが当業者に理解される。
【００２７】
取付部材７の後側部位の幅寸法、すなわち、左右の支持アーム７０、７１の外側面間の寸法ないし連結部７２の長さ寸法は、開口６５の幅寸法、すなわち、左右の側縁６５２、６５３間の寸法より僅かに小さい寸法である。また、左右の支持アーム７０、７１の高さ寸法は、開口６５の高さ寸法、すなわち上縁６５０、下縁６５１間の寸法よりも小さい。取付部材７の後側部位、すなわち、左右の支持アーム７０、７１及び連結部７２を開口６５から戸先側縦枠２内の空間に挿入した時に、支持アーム７０、７１の下縁のスリット７５、７６が、それぞれ開口６５の下縁のスリット６５４、６５５の直上に位置することになり、この状態から支持アーム７０、７１を下方に移動させて落とし込むことで、スリット７５、７６がスリット６５４、６５５に係合する。取付部材７の左右の支持アーム７０、７１のスリット７５、７６を開口６５のスリット６５４、６５５に係合させることで、前後方向の移動が規制された状態で取付部材７が凹部６に係合され支持される。スリット同士（７５と６５４、７６と６５５）を係合させることでより安定した係合状態を得ることができる。
【００２８】
図７に示すように、凹部６の幅方向の寸法は、生体認証装置８の本体８０の幅寸法よりもわずかに大きい寸法となっており、生体認証装置８が取り付けられた状態において、本体８０の後側半部が凹部６内に位置している。また、凹部６の深さ（室外側見付面２０から凹部６の後壁６２までの距離）Ｄ１は、見込面２２の第１部分２２Ａの見込方向の寸法と略同じであり、後壁６２の開口６５から戸先側縦枠２内部に進入した取付部材７の後側部位において、一方の支持アーム７０は、ストライクカバー２７の見込方向に延出する壁２７０に近接対向するように延出している。
【００２９】
支持アーム７０には、螺子孔７０Ａが形成されており、螺子孔７０Ａと見込方向に延出する壁２７０の長孔２７０Ａとは互いに一致するような位置に形成されている。ストライク２４の収容空間Ｓ１から螺子９によって、支持アーム７０と見込方向に延出する壁２７０を連結することで、凹部６に係合された取付部材７の上動を規制する。左右の支持アーム７０、７１は連結部７２によって一体的に連結されているので、一方の支持アーム７０の上動を規制することで、他方の支持アーム７１の上動も規制される。
【００３０】
このように本実施形態の取付構造は、戸先側縦枠２の室外側見付面２０の凹部６の後壁６２の開口６５の下縁６５１の左右端部のスリット６５４、６５５に生体認証装置８が固定された取付部材７の左右の支持アーム７０、７１の下縁のスリット７５、７６を落とし込むようにスライド係合させることで仮固定し、係合状態にある左右の支持アーム７０、７１のうち見込面２２（第２部分２２Ｂ）に近い側の支持アーム７０を、ストライク２４の収容空間Ｓ１からストライクカバー２７の見込方向に延出する壁２７０に螺子９で固定してなるものである。
【００３１】
したがって、室外側見付面２０からの係合（仮固定）→見込面２２（第２部分２２Ｂ）からの螺子による固定という手順で生体認証装置８を戸先側縦枠２に取り付けることができ、作業性が良い。室外側から係合手段を用いて生体認証装置８が固定されている取付部材７を取り付けるため、室外側に螺子等が露出することはなく、意匠性に優れると共に、螺子等を取り外す等のいたずらも防止できる。戸先側縦枠２の見込面２２の第２部分２２Ｂに形成した切り欠き部２５から設ける螺子９は、通常時には、切り欠き部２５から収容空間Ｓ１に取り付けられているストライク２４によって隠蔽されているため、外部に露出することはなく、安全性・意匠性に優れる。戸先側縦枠２の室内側見付面２１には取り付けに関連するいかなる部材も露出せず、意匠性に優れると共に、螺子等を取り外す等のいたずらも防止できる。また、取付構造の構成要素の１つに既存のストライクカバー２７の見込方向に延出する壁２７０を用いているため、取付構造の部品点数・コストを削減できると共に、既設の戸枠に生体認証装置等の入室規制装置を後付けすることができる。
【産業上の利用可能性】
【００３２】
本発明は、戸枠に対する生体認証装置の取り付けに利用することができる。
【符号の説明】
【００３３】
２  戸先側縦枠
２０  室外側見付面
２１  室内側見付面
２２  見込面
２２Ａ  第１部分
２２Ｂ  第２部分
６  凹部
６２  後壁
６５  開口
７  取付部材
７０、７１  支持アーム
７０Ａ  螺子孔
７２  連結部
７５、７６  スリット（係合溝）
８  生体認証装置
９  螺子
２７  ストライクカバー
２７０  見込方向に延出する壁
２７０Ａ  長孔
【図１】
2010255217.tif 000003
【図２】
2010255217.tif 000004
【図３】
2010255217.tif 000005
【図４】
2010255217.tif 000006
【図５】
2010255217.tif 000007
【図６】
2010255217.tif 000008
【図７】
2010255217.tif 000009
【図８】
2010255217.tif 000010
【図９】
2010255217.tif 000011